(57)【要約】【課題】撮像装置の使用状態に応じた適切な立ち上がり時間で省電力化モードから通常使用状態に復帰することができる撮像装置を提供すること。【解決手段】撮像部１０によって取得された画像を表示出力する画像表示部１２を有した可搬型の撮像装置１であって、画像表示部１２への人体の近接を検出する近接センサ１３と、撮像装置１の動きを検出する加速度センサ１７と、最大電力供給状態から徐々に省電力状態を高くした複数の省電力モードを有し、近接センサ１３が人体の近接を検出しなくなった場合、加速度センサ１７の検出結果をもとに、最大電力供給状態から複数の省電力モードへの段階的移行速度を変化させる電源制御部１５と、を備える。【選択図】図１
2011211606.tif 000002
【特許請求の範囲】
【請求項１】
撮像部によって取得された画像を表示出力する画像表示部を有した可搬型の撮像装置であって、
前記画像表示部への人体の近接を検出する近接センサと、
当該撮像装置の動きを検出する加速度センサと、
最大電力供給状態から徐々に省電力状態を高くした複数の省電力モードを有し、前記近接センサが前記人体の近接を検出しなくなった場合、前記加速度センサの検出結果をもとに、前記最大電力供給状態から前記複数の省電力モードへの段階的移行速度を変化させる電源制御部と、
を備えたことを特徴とする撮像装置。
【請求項２】
前記撮像部の光軸の傾斜状態を検出する傾斜センサを備え、
前記電源制御部は、前記傾斜センサの検出結果から前記撮像部の光軸が略水平状態であり、かつ前記加速度センサが略水平方向の加速度を検出している場合、前記段階的移行速度を遅く変化させ、前記傾斜センサの検出結果から前記撮像部の光軸が略鉛直状態であり、かつ前記加速センサが略鉛直方向の加速度を検出している場合、前記段階的移行速度を速く変化させ、前記加速度センサが加速度を検出していない場合、前記段階的移行速度をさらに速く変化させることを特徴とする請求項１に記載の撮像装置。
【発明の詳細な説明】
【技術分野】
【０００１】
本発明は、撮像部によって取得された画像を表示出力する画像表示部を有し、省電力化を図ることができる可搬型の撮像装置に関するものである。
【背景技術】
【０００２】
従来から、可搬型の撮像装置では、電力源として電池などが用いられ、可能な限り省電力化を図り、使用可能時間が長くなるようにしている。
【０００３】
たとえば、特許文献１には、電力消費を必要最小限に抑える省電力モード機能を有する携帯端末装置に加速度センサを設け、携帯端末装置が待ち受け状態あるいは通話状態のいずれでもない状態で、加速度センサによって所定期間、体勢状態の変化が検出されないとき、エンドユーザが携帯端末装置を放置していると判断して省電力モードに移行し消費電力を低減させるものが記載されている。
【０００４】
また、特許文献２には、加速度センサの検出結果をもとに、歩行中か非歩行時かを判別して表示モードを切り替えるものが記載されている。
【先行技術文献】
【特許文献】
【０００５】
【特許文献１】特開２００７−２６６７０６号公報
【特許文献２】特開２００７−１６３６３４号公報
【発明の概要】
【発明が解決しようとする課題】
【０００６】
しかしながら、上述した特許文献１，２に記載されたものでは、省電力モードに移行することができるものの、省電力化の度合いが異なる複数の省電力モードを有し、省電力化の度合いが高い省電力モード状態である場合、この省電力モードから通常使用状態に移行に時間がかかり、通常使用状態に迅速に立ち上がることができない場合があるという問題点があった。
【０００７】
本発明は、上記に鑑みてなされたものであって、撮像装置の使用状態に応じた適切な立ち上がり時間で省電力化モードから通常使用状態に復帰することができる撮像装置を提供することを目的とする。
【課題を解決するための手段】
【０００８】
上記目的を達成するために、本発明にかかる撮像装置は、撮像部によって取得された画像を表示出力する画像表示部を有した可搬型の撮像装置であって、前記画像表示部への人体の近接を検出する近接センサと、当該撮像装置の動きを検出する加速度センサと、最大電力供給状態から徐々に省電力状態を高くした複数の省電力モードを有し、前記近接センサが前記人体の近接を検出しなくなった場合、前記加速度センサの検出結果をもとに、前記最大電力供給状態から前記複数の省電力モードへの段階的移行速度を変化させる電源制御部と、を備えたことを特徴とする。
【０００９】
また、本発明にかかる撮像装置は、上記の発明において、前記撮像部の光軸の傾斜状態を検出する傾斜センサを備え、前記電源制御部は、前記傾斜センサの検出結果から前記撮像部の光軸が略水平状態であり、かつ前記加速度センサが略水平方向の加速度を検出している場合、前記段階的移行速度を遅く変化させ、前記傾斜センサの検出結果から前記撮像部の光軸が略鉛直状態であり、かつ前記加速センサが略鉛直方向の加速度を検出している場合、前記段階的移行速度を速く変化させ、前記加速度センサが加速度を検出していない場合、前記段階的移行速度をさらに速く変化させることを特徴とする。
【発明の効果】
【００１０】
本発明によれば、電源制御部が、最大電力供給状態から徐々に省電力状態を高くした複数の省電力モードを有し、近接センサが前記人体の近接を検出しなくなった場合、加速度センサの検出結果をもとに、前記最大電力供給状態から前記複数の省電力モードへの段階的移行速度を変化させるようにしているので、撮像装置の使用状態に応じた適切な立ち上がり時間で省電力化モードから通常使用状態に復帰することができ、特に撮像装置を再度使用する可能性の高い使用状態である場合に、高い省電力モードへの移行が遅くなり、迅速に立ち上がることができる。
【図面の簡単な説明】
【００１１】
【図１】図１は、本発明の実施の形態である撮像装置の構成を示すブロック図である。
【図２】図２は、図１に示した撮像装置の外観を示す概略斜視図である。
【図３】図３は、電源制御部が有する省電力モードの内容を示す図である。
【図４】図４は、電源制御部が傾斜センサと加速度センサとの検出結果をもとに段階的移行速度を変化させる内容を示す図である。
【図５】図５は、電源制御部による電源制御処理手順を示すフローチャートである。
【図６】図６は、電源制御部による電源制御処理の一例を示すタイムチャートである。
【発明を実施するための形態】
【００１２】
以下に添付図面を参照して、本発明にかかる撮像装置の実施の形態について説明する。
【００１３】
図１は、本発明の実施の形態である撮像装置の構成を示すブロック図である。また、図２は、この撮像装置１の外観を示す概略斜視図である。図２に示すように、この撮像装置１は、光軸Ｃ１方向の被写体を撮像する可搬型の撮像装置である。図１において、この撮像装置１は、被写体を撮像する撮像部１０、撮像部１０によって撮像された画像に対して所望の出力画像に変換する画像変換処理などを行う画像処理部１１、画像処理部１１で画像処理された画像を出力する電子ビューファインダなどによって実現される画像表示部１２を有する。
【００１４】
画像表示部１２は、操作者が画像を見るために顔を接近させる接眼部１４内に設けられる。この接眼部１４には、顔の接近を検出する近接センサ１３が設けられる。
【００１５】
加速度センサ１７は、撮像装置１の３次元加速度を検出する。傾斜センサ１８は、鉛直方向に対する光軸Ｃ１の傾斜を検出する。操作部１９は、ズーミングを行うためのボタンや、レリーズボタンなどを有し、各種の指示出力を行う。
【００１６】
制御部Ｃは、操作部１９の指示出力をもとに、撮像部１０、画像処理部１１、画像出力部１２の各部に対する制御を行う。制御部Ｃには、さらに電源１６が接続され、制御部Ｃ内の電源制御部１５は、予め設定され、省電力化の度合いが異なる複数の省電力モードを有し、この複数の省電力モードへの移行を制御する。特に、電源制御部１５は、近接センサ１３、加速センサ１７、および傾斜センサの検出結果をもとに、複数の省電力モードへの段階的移行速度を変化させる制御を行う。
【００１７】
図３は、電源制御部１５が有する省電力モードの内容を示す図である。図３に示すように、電力制御部１５は、最大電力供給状態（通常使用状態）から段階的に省電力化を高く（深く）した複数の省電力モードＭ１〜Ｍ７を有する。最も省電力化が浅い省電力モードＭ１は、画像出力部１２における画像表示をブランク（空白）表示に変更するモードである。省電力モードＭ２は、さらに、画像表示に関係しない部位、たとえば図示しないレーザ測距装置や方位計などの付随的機能に対する電源供給を断つモードである。省電力モードＭ３は、さらに、画像表示部１２へのクロック供給を停止するモードである。省電力モードＭ４は、さらに、画像処理部１１へのクロック供給を停止するモードである。省電力モードＭ５は、さらに、撮像部１０への電源供給を断つモードである。省電力モードＭ６は、さらに、画像処理部１１への電源供給を断つモードである。そして、省電力モードＭ７は、さらに制御部Ｃ内のクロック停止を行うモードである。このように各省電力モードＭ１〜Ｍ７は、徐々に重畳された段階的な省電力化が行われる。たとえば、省電力モードＭ３は、省電力モードＭ１，Ｍ２の実行状態で行われ、省電力化が深くなる。
【００１８】
電源制御部１５は、近接センサ１３が近接状態を検出しない場合に、これら省電力モードＭ１〜Ｍ７の段階的な移行速度を制御する。図４は、電源制御部１５が傾斜センサ１８と加速度センサ１７との検出結果をもとに段階的移行速度を変化させる内容を示す図である。図４に示すように、傾斜センサ１８が、撮像装置１が水平方向（図２のＸ−Ｙ平面）であると検出し、かつ加速度センサ１７が水平方向の加速度を検出している場合、続けて撮像処理を行う可能性が高いため、省電力モードＭ１→Ｍ７の段階的移行速度を「小」に（遅く）する。また、傾斜センサ１８が、撮像装置１が鉛直方向（図２のＸ方向）であると検出し、かつ加速度センサ１７が鉛直方向の加速度を検出している場合、撮像装置１は、たとえば首などにぶら下げられている状態で移動していると考えられ、省電力モードＭ１→Ｍ７の段階的移行速度を「中」に（「小」よりも速く）する。さらに、傾斜センサ１８の検出にかかわらず、加速度センサ１７が加速度を検出している場合、省電力モードＭ１→Ｍ７の段階的移行速度を「大」に（「中」よりも速く）する。さらに、傾斜センサ１８の検出にかかわらず、加速度センサ１７が加速度を検出していない場合、省電力モードＭ１→Ｍ７の段階的移行速度を「最大」に（「大」よりも速く）する。
【００１９】
ここで、図５に示すフローチャートを参照して、電源制御部１５による電源制御処理手順について説明する。まず、電源制御部１５は、近接センサ１３がオン、すなわち近接状態を検出しているか否かを判断する（ステップＳ１０１）。近接センサ１３がオンである場合（ステップＳ１０１，Ｙｅｓ）には、最大電力供給状態（通常使用状態）を維持する（ステップＳ１０６）。すなわち、省電力モードへの移行は行わない。
【００２０】
一方、近接センサ１３がオンでない場合（ステップＳ１０１，Ｎｏ）には、一旦、操作者が撮像操作を行わなくなったものと考えられ、この近接センサ１３のオフ状態が所定時間、経過したか否かを判断する（ステップＳ１０２）。近接センサ１３のオフ状態が所定時間、経過していない場合（ステップＳ１０２，Ｎｏ）には、さらに操作者が撮像操作を行うものと考えられ、ステップＳ１０６に移行して最大電力供給状態を維持する。
【００２１】
近接センサ１３のオフ状態が所定時間、経過した場合（ステップＳ１０２，Ｙｅｓ）には、省電力モードへの移行を行う。まず、電源制御部１５は、加速度センサ１７が略水平方向を検出しており、かつ傾斜センサ１８が略水平方向を検出しているか否かを判断する（ステップＳ１０３）。加速度センサ１７が略水平方向を検出しており、かつ傾斜センサ１８が略水平方向を検出している場合（ステップＳ１０３，Ｙｅｓ）は、図４に示すように、段階的移行速度を「小」にして省電力モードに移行する（ステップＳ１０７）。
【００２２】
加速度センサ１７が略水平方向を検出ておらず、または傾斜センサ１８が略水平方向を検出していない場合（ステップＳ１０３，Ｎｏ）には、さらに、加速度センサ１７が略鉛直方向を検出しており、かつ傾斜センサ１８が略鉛直方向を検出しているか否かを判断する（ステップＳ１０４）。加速度センサ１７が略鉛直方向を検出しており、かつ傾斜センサ１８が略鉛直方向を検出している場合（ステップＳ１０４，Ｙｅｓ）には、図４に示すように、段階的移行速度を「中」にして省電力モードに移行する（ステップＳ１０８）。
【００２３】
加速度センサ１７が略鉛直方向を検出しておらず、または傾斜センサ１８が略鉛直方向を検出していない場合（ステップＳ１０４，Ｎｏ）には、さらに、加速センサ１７が加速度を検出しているか否かを判断する（ステップＳ１０５）。加速度センサ１７が加速度を検出している場合（ステップＳ１０５，Ｙｅｓ）には、図４に示すように、段階的移行速度を「大」にして省電力モードに移行する（ステップＳ１０９）。
【００２４】
一方、加速センサ１７が加速度を検出していない場合（ステップＳ１０５，Ｎｏ）には、撮像装置１が床などに置かれている場合であり、長期間の不使用状態が予想されるため、図４に示すように、段階的移行速度を「最大」にして省電力モードに移行する（ステップＳ１１０）。すなわち、迅速に最大省電力化状態に移行させる。
【００２５】
ステップＳ１０６〜Ｓ１１０の処理の後、電源オフの指示があったか否かを判断する（ステップＳ１１１）。電源オフの指示があった場合（ステップＳ１１１，Ｙｅｓ）には、電源をオフ状態にして本処理を終了し、電源オフの指示がない場合（ステップＳ１１１，Ｎｏ）には、ステップＳ１０１に移行して上述した処理を繰り返す。
【００２６】
このような処理を行った場合の具体例について、図６に示したタイムチャートを参照して説明する。図６では、時点ｔ１で近接センサ１３がオフ状態になり、このオフ状態が所定時間経った時点ｔ２から省電力モードに移行する。その後、時点ｔ３で近接センサ１３がオンになるが、時点ｔ２から時点ｔ３までの間に省電力モードに移行する。ここで、実線で示した変化Ｌ１は、傾斜センサ１８が水平方向を検出し、かつ加速度センサ１７が水平方向を検出した場合を示し、破線で示した変化Ｌ２は、傾斜センサ１８が鉛直方向を検出し、かつ加速度センサ１７が鉛直方向を検出した場合を示している。図６に示すように、変化Ｌ１は、変化Ｌ２に比して段階的移行速度が遅くなっている。そして、変化Ｌ１の場合で、時点ｔ３から最大電力供給状態に移行する場合、省電力モードが浅いため、直ちに復帰することができる。すなわち、変化Ｌ１の場合の復帰時間Δｔａは、変化Ｌ２の場合の復帰時間Δｔｂに比して短くなり、操作性のよい省電力化が可能となる。
【００２７】
この実施の形態では、加速度センサおよび傾斜センサの検出結果をもとに、撮像装置に対する操作者の使用状態を当てはめて、省電力モードへの段階的移行速度を変化させるようにしているので、撮像装置の使用状態に応じた適切な立ち上がり時間で省電力化モードから通常使用状態に復帰することができ、操作性のよい省電力化を実現することができる。
【００２８】
なお、上述した実施の形態では、電源制御部１５が傾斜センサ１８の検出結果を含めて省電力モードへの段階的移行速度を変化させるようにしていたが、これに限らず、加速度センサ１７の検出結果のみをもとに、段階的移行速度を変化させるようにしてもよい。
【産業上の利用可能性】
【００２９】
以上のように、本発明にかかる撮像装置は、可搬型の撮像装置に有用であり、特に、監視対象を撮像して監視対象の位置を測定する可搬型のターゲットロケータに適している。
【符号の説明】
【００３０】
１  撮像装置
１０  撮像部
１１  画像処理部
１２  画像表示部
１３  近接センサ
１４  接眼部
１５  電源制御部
１６  電源
１７  加速度センサ
１８  傾斜センサ
１９  操作部
Ｃ  制御部
Ｃ１  光軸
Ｍ１〜Ｍ７  省電力モード
【図１】
2011211606.tif 000003
【図２】
2011211606.tif 000004
【図３】
2011211606.tif 000005
【図４】
2011211606.tif 000006
【図５】
2011211606.tif 000007
【図６】
2011211606.tif 000008